(57)【要約】【課題】水面に存在する人や物を容易にボート上に移動させることができるボートを提供する。【解決手段】ボート１００は、船底１０１を備えている。船底１０１は、ボート１００の底側の外表面を構成するとともに人や物を載せる床面１０１ａを構成する板状に形成されている。この船底１０１における長手方向両端部には、第１傾斜部１０２ａおよび第２傾斜部１０２ｂがそれぞれ船底１０１と一体的に形成されている。第１傾斜部１０２ａおよび第２傾斜部１０２ｂは、船底１０１の長手方向両端部から図示斜め上方に向かって傾斜した状態で延びて形成されている。また、船底１０１における長手方向に延びる２つの縁部分には、側壁体１０３がそれぞれ設けられている。側壁体１０３は、船底１０１の長手方向に延びる棒状に形成されている。これらの船底１０１、第１傾斜部１０２ａ、第２傾斜部１０２ｂおよび側壁体１０３は、それぞれ硬質ウレタン発泡体で構成されている。【選択図】  図１
2017202714.tif 000002
【特許請求の範囲】
【請求項１】
人または物を載せることができる大きさの床面を有して水面に浸かる船底と、
前記床面に繋がった状態で前記船底から斜め上方に向かって傾斜した板状に延びる傾斜部と、
前記船底の周囲のうちの前記傾斜部以外の部分に設けられて同船底に対して上方に形成された側壁体とを備えたことを特徴とするボート。
【請求項２】
請求項１に記載したボートにおいて、
前記傾斜部は、
前記船底の周囲のうちの一部に設けられた第１傾斜部と、
前記船底の周囲のうちの前記第１傾斜部とは反対側に設けられた第２傾斜部とを備えていることを特徴とするボート。
【請求項３】
請求項１または請求項２に記載したボートにおいて、
前記傾斜部は、
前記船底に対して内側面および外側面のうちの少なくも一方が曲面で繋がっていることを特徴とするボート。
【請求項４】
請求項１ないし請求項３のうちのいずれか１つに記載したボートにおいて、
前記傾斜部は、
先端部の高さが前記側壁体の上端部以下の高さに形成されていることを特徴とするボート。
【請求項５】
請求項１ないし請求項４のうちのいずれか１つに記載したボートにおいて、
前記傾斜部は、
先端部が曲面に形成されていることを特徴とするボート。
【請求項６】
請求項１ないし請求項５のうちのいずれか１つに記載したボートにおいて、
前記船底は、
硬質ウレタン発泡体で構成されていることを特徴とするボート。
【請求項７】
請求項１ないし請求項６のうちのいずれか１つに記載したボートにおいて、
前記船底、前記傾斜部および前記側壁部は、
それぞれ硬質ウレタン発泡体で構成されていることを特徴とするボート。
【請求項８】
請求項１ないし請求項７のうちのいずれか１つに記載したボートにおいて、
前記傾斜部は、
前記側壁部とは異なる色で形成されていることを特徴とするボート。
【発明の詳細な説明】
【技術分野】
【０００１】
本発明は、水害、水難事故またはレジャーで使用することができるボートに関する。
【背景技術】
【０００２】
従来から、水害または水難事故が発生した際に数名の人員が載り込んで救命活動または救援活動を行うことができるボートが提案されている。例えば、下記特許文献１には、人が載り込む船底およびこの船底の周囲を囲むフロート体が硬質ウレタン発泡体で構成された船艇が開示されている。
【先行技術文献】
【特許文献】
【０００３】
【特許文献１】特開２０１５−１５５２６６号公報
【０００４】
しかしながら、上記特許文献１に記載した船艇においては、船底の周囲が高さのあるフロート体および艫（とも）板によって囲まれているため、水面に存在する人や物を船艇内移動させることが困難であるという問題がある。
【発明の概要】
【０００５】
本発明は上記問題に対処するためなされたもので、その目的は、水面に存在する人や物を容易にボート上に移動させることができるボートを提供することにある。
【０００６】
上記目的を達成するため、本発明の特徴は、人または物を載せることができる大きさの床面を有して水面に浸かる船底と、床面に繋がった状態で船底から斜め上方に向かって傾斜した板状に延びる傾斜部と、船底の周囲のうちの傾斜部以外の部分に設けられて同船底に対して上方に形成された側壁体とを備えたことにある。
【０００７】
このように構成した本発明の特徴によれば、ボートは、床面の一部に繋がった状態で船底から斜め上方に延びて傾斜部が形成されているため、ボートの一部を持ち上げたりボート内での重量物の位置を変えたりして傾斜部の先端部を水面に近付けることができ、人や物の積み込みまたは積み出しを容易に行うことができる。
【０００８】
また、本発明の他の特徴は、前記ボートにおいて、傾斜部は、船底の周囲のうちの一部に設けられた第１傾斜部と、船底の周囲のうちの第１傾斜部とは反対側に設けられた第２傾斜部とを備えていることにある。
【０００９】
このように構成した本発明の他の特徴によれば、ボートは、船底の周囲に設けられた第１傾斜部とこの第１傾斜部とは反対側に設けられた第２傾斜部とで傾斜部が構成されているため、人や物をピストン輸送する場合にボートの向きを反転させることなく人や物の積み込みまたは積み出しを容易に行うことができる。
【００１０】
また、本発明の他の特徴は、前記ボートにおいて、傾斜部は、船底に対して内側面および外側面のうちの少なくも一方が曲面で繋がっていることにある。
【００１１】
このように構成した本発明の他の特徴によれば、ボートは、傾斜部の内側面が船底に対して曲面で繋がっている場合には人や物を円滑に積み込みまたは積み出しすることができるとともに傾斜部を水面に向けることで床面上に溜まった水を速やかかつ円滑に排出することができる。また、ボートは、傾斜部の外側面が船底に対して曲面で繋がっている場合にはボートを傾斜させて傾斜部を水面に向ける際に船体が急激に傾斜することが防止でき安定的に船体を傾斜させることができ傾斜作業自体を行い易くすることができる。
【００１２】
また、本発明の他の特徴は、前記ボートにおいて、傾斜部は、先端部の高さが側壁体の上端部以下の高さに形成されていることにある。
【００１３】
このように構成した本発明の他の特徴によれば、ボートは、傾斜部の先端部の高さが側壁体の上端部以下の高さに形成されているため、傾斜部を水面に近付ける際にボートを傾斜させる量が少なくなり作業性を向上させることができるとともに、船内に溜まった水を傾斜部を通じて排出し易くすることができる。
【００１４】
また、本発明の他の特徴は、前記ボートにおいて、傾斜部は、先端部が曲面に形成されていることにある。
【００１５】
このように構成した本発明の他の特徴によれば、ボートは、傾斜部の先端部が曲面に形成されているため、傾斜部を水面に近付けた際に水面付近に存在する人や物を載せ易くすることができるとともにこれらの人や物への接触を優しくして不快感を与えることや傷付けることを防止することができる。
【００１６】
また、本発明の他の特徴は、前記ボートにおいて、船底は、硬質ウレタン発泡体で構成されていることにある。
【００１７】
このように構成した本発明の他の特徴によれば、ボートは、船底が硬質ウレタン発泡体で構成されているため、船底自体に浮力を与えて沈み込みを防止して水の侵入を防ぐことができるとともに、傾斜部および側壁部の高さを低く抑えることができる。また、このボートによれば、空気を利用したゴムボートなどに比べて剛性が高く船上での安定性が向上する。また、このボートによれば、船底が損傷を受けた場合であっても船底の浮力が直ちに失われることがないとともに補修も容易に行うことができる。
【００１８】
なお、硬質ウレタン発泡体とは、ＮＣＯ（イソシアネート）基を２個以上有するポリイソシアネートとＯＨ（ヒドロキシル）基を２個以上有するポリオールとを、触媒（例えば、アミン化合物など）、発泡剤（例えば、水やフルオロカーボンなど等）および整泡剤（例えば、シリコーンオイル）など（以下、これらを「硬質ウレタン材料等」という）と混合して泡化反応と樹脂化反応とを同時に行わせることによって得られる均質なプラスチック発泡体である。また、本願発明における硬質ウレタン発泡体は、圧縮強さ（１０％圧縮）が少なくとも２．０ｋｇｆ／ｃｍ2以上である。
【００１９】
また、本発明の他の特徴は、前記ボートにおいて、船底、傾斜部および側壁部は、それぞれ硬質ウレタン発泡体で構成されていることにある。
【００２０】
このように構成した本発明の他の特徴によれば、ボートは、船底、傾斜部および側壁部のいずれもが硬質ウレタン発泡体で構成されているため、ボート自体に浮力を与えて沈み込みを防止して水の侵入を防ぐことができるとともに、傾斜部および側壁部の高さを低く抑えることができる。また、このボートによれば、空気を利用したゴムボートなどに比べて剛性が高く船上での安定性が向上する。また、このボートによれば、船体が損傷を受けた場合であっても船体の浮力が直ちに失われることがないとともに補修も容易に行うことができる。
【００２１】
また、本発明の他の特徴は、前記ボートにおいて、傾斜部は、側壁部とは異なる色で形成されていることにある。
【００２２】
このように構成した本発明の他の特徴によれば、ボートは、傾斜部が側壁部とは異なる色で形成されているため、傾斜部を水面に近付けようとする際に傾斜部の位置を迅速に把握することができる。この場合、傾斜部は、船底の床面と同じ色に形成することで傾斜部の位置をより把握し易くなる。
【図面の簡単な説明】
【００２３】
【図１】本発明の一実施形態に係るボートの外観構成の概略を示す斜視図である。
【図２】図１に示したボートの外観構成の概略を示す側面図である。
【図３】図１に示したボートに乗って手漕ぎで操船する状態を示した斜視図である。
【図４】図１に示したボートにおいて船外の人を乗り込ませる様子を模式的に示した側面図である。
【図５】図１に示したボートを船外から持ち上げて傾斜させる様子を示した斜視図である。
【図６】図１に示したボートを二隻対向させて人や物を移動させる様子を模式的に示した側面図である。
【発明を実施するための形態】
【００２４】
以下、本発明に係るボートの一実施形態について図面を参照しながら説明する。図１は、本発明に係るボート１００の外観構成の概略を示す斜視図である。また、図２は、図１に示したボート１００の外観構成の概略を示す側面図である。このボート１００は、数名の人が載り込むことができる手漕ぎ型の舟である。
【００２５】
（ボート１００の構成）
ボート１００は、船底１０１を備えている。船底１０１は、ボート１００の底側の外表面を構成するとともに人や物を載せる床面１０１ａを構成する部分であり、長尺の板状体によって構成されている。この船底１０１は、平面視で長方形状の平板状に形成されており、長手方向両端部に第１傾斜部１０２ａおよび第２傾斜部１０２ｂがそれぞれ形成されている。
【００２６】
第１傾斜部１０２ａおよび第２傾斜部１０２ｂは、ボート１００の船内である床面１０１ａ上に人や物を出し入れするための部分であり、船底１０１の長手方向両端部から図示斜め上方に向かって傾斜した状態で延びて形成されている。この場合、第１傾斜部１０２ａおよび第２傾斜部１０２ｂは、内側面および外側面が円弧状に僅かに撓んだ曲面形状に形成されている。
【００２７】
これらの第１傾斜部１０２ａおよび第２傾斜部１０２ｂは、各先端部が後述する側壁体１０３の上面と略面一の高さまで延びている。本実施形態においては、第１傾斜部１０２ａおよび第２傾斜部１０２ｂの高さは、船底１０１の底面から約４００ｍｍの高さに設定されている。また、第１傾斜部１０２ａおよび第２傾斜部１０２ｂの各先端部は、内側面から外側面に掛けて円弧状に丸みを帯びた曲面形状に形成されている。また、第１傾斜部１０２ａおよび第２傾斜部１０２ｂの船底１０１の底面に対する角度αは、約３５°に形成されている。
【００２８】
これらの船底１０１、第１傾斜部１０２ａおよび第２傾斜部１０２ｂは、ポリ塩化ビニル樹脂製の袋体内に硬質ウレタン発泡体を充填して一体的に形成されている。具体的には、船底１０１、第１傾斜部１０２ａおよび第２傾斜部１０２ｂは、互いに対向する２つのポリ塩化ビニル樹脂製のシート材の間にポリエステル樹脂製やガラス繊維製の糸（図示せず）を縦方向に無数に配置してこれら２つのシート材を互いに引き合うようにした袋体内に液状の硬質ウレタン材料等（図示せず）を注入して硬化させたボード材によって構成されている。
【００２９】
ここで、硬質ウレタン発泡体は、硬質ウレタン材料等、具体的には、ＮＣＯ（イソシアネート）基を２個以上有するポリイソシアネートとＯＨ（ヒドロキシル）基を２個以上有するポリオールとを、触媒（例えば、アミン化合物など）、発泡剤（例えば、水やフルオロカーボンなど等）および整泡剤（例えば、シリコーンオイル）などと混合して泡化反応と樹脂化反応とを同時に行わせることによって得られる均質なプラスチック発泡体である。また、本願発明における硬質ウレタン発泡体は、圧縮強さ（１０％圧縮）が少なくとも２．０ｋｇｆ／ｃｍ2以上である。
【００３０】
本実施形態においては、船底１０１、第１傾斜部１０２ａおよび第２傾斜部１０２ｂは、床面１０１ａを平板状に形成するとともに、第１傾斜部１０２ａおよび第２傾斜部１０２ｂを床面１０１ａの両端部からそれぞれ曲面状に傾斜した状態で成形する一対の金型内にポリ塩化ビニル樹脂製の袋体をセットした後に液状の硬質ウレタン材料を注入して成形される。この場合、液状の硬質ウレタン材は、船底１０１の床面１０１ａに開口した注入口１０２ｂから注入される。
【００３１】
船底１０１における長手方向に延びる２つの縁部分には、側壁体１０３がそれぞれ設けられている。これらの側壁体１０３は、ボート１００に浮力を与えるとともに船底１０１の床面１０１ａ上に水が進入することを防止するための部分であり、棒状に延びて形成されている。より具体的には、各側壁体１０３は、下側部分が船底１０１、第１傾斜部１０２ａおよび第２傾斜部１０２ｂにそれぞれ沿った形状に形成されるとともに、上側部分が略水平方向に延びて形成されている。そして、各側壁体１０３は、長手方向両端部が第１傾斜部１０２ａおよび第２傾斜部１０２ｂの各先端部に達しない引っ込んだ位置で尖った形状に形成されている。
【００３２】
これらの側壁体１０３は、前記船底１０１、第１傾斜部１０２ａおよび第２傾斜部１０２ｂと同様に、ポリ塩化ビニル樹脂製の袋体をセットした後に液状の硬質ウレタン材料を注入して成形される。そして、各側壁体１０３は、船底１０１、第１傾斜部１０２ａおよび第２傾斜部１０２ｂの各側部に図示しない接着剤および粘着テープ１０４によって固着されている。これらの側壁体１０３には、各上面側に取っ手１１０、ロープ１１１、フック１１２およびオール取付部１１３がそれぞれ設けられているとともに、内側側面部にオール１１４が着脱自在な状態で保持されている。
【００３３】
取っ手１１０、ロープ１１１、フック１１２は、ボート１００の使用時に掴んだり引っ掛けたりして使用される部品である。また、オール取付部１１３は、オール１１４を使ってボート１００を漕ぐ際にオール１１４を取り付ける部品である。また、オール１１４は、ボート１００を手漕ぎする際に使用する道具である。
【００３４】
このボート１００は、本実施形態においては、全長が約２７００ｍｍ、全幅が約１１００ｍｍ、高さが約４００ｍｍ、重さが約４０ｋｇに形成されている。この場合、側壁体１０３は、長手方向中央部の最も太い部分で約２５０ｍｍの円柱状に形成されている。また、ボート１００は、船底１０１、第１傾斜部１０２ａおよび第２傾斜部１０２ｂが白色や灰色などの白色系（淡色系）で形成されるとともに、各側壁部１０３が赤色や緑色などの濃色系で形成されている。
【００３５】
（ボート１００の作動）
次に、上記のように構成したボート１００の作動について説明する。ボート１００を使用する使用者Ｕは、ボート１００を用意して水上に配置する。この場合、ボート１００を浮かべる場所としては、海、河川および湖沼のほか浸水した水害地などがある。
【００３６】
次に、使用者Ｕは、図３に示すように、ボート１００内、具体的には、船底１０１の床面１０１ａ上に乗り込んだ後、オール１１４を使ってボート１００を航行させることができる。また、使用者Ｕは、床面１０１ａ上には乗り込まず、水に浸かった状態でボート１００を押してまたは引いて移動することができる。
【００３７】
次に、使用者Ｕは、水面ＷＬ付近に存在する人ＡＵまたは物（図示せず）をボート１００内に引き上げる際には、第１傾斜部１０２ａまたは第２傾斜部１０２ｂを水面ＷＬに近付けるようにボート１００を傾けることによって人ＡＵまたは物を積み込むことができる。具体的には、使用者Ｕは、図４に示すように、使用者Ｕがボート１００の船上に載っている場合には、水面ＷＬにおける人ＡＵまたは物（図示せず）が存在する側の第１傾斜部１０２ａまたは第２傾斜部１０２ｂを水面に近付けるように床面１０１ａ上における第１傾斜部１０２ａ側または第２傾斜部１０２ｂ側に移動する。なお、図４においては、使用者Ｕが第１傾斜部１０２ａ側に移動した状態を示している。
【００３８】
また、使用者Ｕは、図５に示すように、ボート１００の船外に居る場合には、水面ＷＬにおける人（図示せず）または物（図示せず）が存在する側の第１傾斜部１０２ａまたは第２傾斜部１０２ｂを水面に近付けるようにボート１００の第２傾斜部１０２ｂ側または第２傾斜部１０２ａ側を持ち上げる。これらにより、使用者Ｕは、水面ＷＬ近くに傾斜した板状の第１傾斜部１０２ａまたは第２傾斜部１０２ｂを位置させることができるため、水面ＷＬに存在する人または物を容易にボート１００の床面１０１ａ上に引き込むことができる。
【００３９】
次に、使用者Ｕは、ボート１００の床面１０１ａ上に載せた人または物を水上に移す場合には、前記と同様にして第１傾斜部１０２ａまたは第２傾斜部１０２ｂを水面ＷＬに近付けることによって容易に船外に移すことができる。また、使用者Ｕは、ボート１００の床面１０１ａ上に水が溜まった場合には、前記同様にして第１傾斜部１０２ａまたは第２傾斜部１０２ｂを水面ＷＬに近付けることによって容易に船外に排出することができる。
【００４０】
また、このボート１００は、図６に示すように、二隻のボート１００間においても第１傾斜部１０２ａまたは第２傾斜部１０２ｂを互いに突き合わせることで人または物の移し替えを容易に行うことができる。なお、ボート１００は、本発明に係るボート１００以外の形式の他のボート（例えば、ゴムボートや和船）、岸壁または岩場に対しても人または物の移し替えを容易に行うことができる。また、ボート１００は、船底１０１、第１傾斜部１０２ａ、第２傾斜部１０２ｂまたは側壁部１０３にキズ、凹みまたは欠けなどの損傷が生じた場合には、これらの損傷個所に樹脂製のパテを埋めて補修することができる。
【００４１】
上記作動説明からも理解できるように、上記実施形態によれば、ボート１００は、床面１０１ａの一部に繋がった状態で船底１０１から斜め上方に延びて第１傾斜部１０２ａおよび第２傾斜部１０２ｂからなる傾斜部が形成されているため、ボート１００の一部を持ち上げたりボート１００内での重量物の位置を変えたりして第１傾斜部１０２ａまたは第２傾斜部１０２ｂの先端部を水面ＷＬに近付けることができ、人や物の積み込みまたは積み出しを容易に行うことができる。
【００４２】
さらに、本発明の実施にあたっては、上記実施形態に限定されるものではなく、本発明の目的を逸脱しない限りにおいて種々の変更が可能である。なお、以下で説明する各変形例においては、上記実施形態と同様の構成部分に同じ符号を付して説明は適宜省略する。
【００４３】
例えば、上記実施形態においては、ボート１００は、船底１０１の長手方向の両端部にそれぞれ第１傾斜部１０２ａおよび第２傾斜部１０２ｂをそれぞれ設けて構成した。すなわち、第１傾斜部１０２ａおよび第２傾斜部１０２ｂが本発明に係る傾斜部に相当する。しかし、傾斜部は、船底１０１に対して少なくとも１つ設けられていればよい。したがって、ボート１００は、船底１０１の長手方向の両端部の一方に第１傾斜部１０２ａまたは第２傾斜部１０２ｂを設けて構成することもできる。また、ボート１００は、船底１０１に対して３つ以上の傾斜部を設けて構成することもできる。また、第１傾斜部１０２ａおよび第２傾斜部１０２ｂは、上記実施形態のように船底１０１と一体的に形成してもよいし、船体１０１とは別体で構成して船体１０１に固着する雇用に構成してもよい。
【００４４】
また、上記実施形態においては、第１傾斜部１０２ａおよび第２傾斜部１０２ｂは、それぞれ内側面および外側面を曲面で構成した。しかし、第１傾斜部１０２ａおよび第２傾斜部１０２ｂは、内側面および外側面を平面で構成することもできる。
【００４５】
また、上記実施形態においては、第１傾斜部１０２ａおよび第２傾斜部１０２ｂは、船底１０１の底面（換言すれば、水面ＷＬ）に対して約３５°の傾斜角αで形成した。しかし、第１傾斜部１０２ａおよび第２傾斜部１０２ｂは、水面ＷＬに対して２０°〜４５°の範囲の傾斜角αで形成するとよい。なお、船底１０１は、必ずしも平面状に形成されている必要があるものではなく、中央部が張り出した山形または円弧状に形成することができる。
【００４６】
また、上記実施形態においては、第１傾斜部１０２ａおよび第２傾斜部１０２ｂは、各先端部の高さが側壁体１０３の上端部の高さと略同一に形成した。しかし、第１傾斜部１０２ａおよび第２傾斜部１０２ｂの各先端部の高さは、上記実施形態に限定されるものではなく、側壁体１０３の上端部よりも高く設定してもよいし、同上端部の高さよりも低く設定することもできる。
【００４７】
また、上記実施形態においては、第１傾斜部１０２ａおよび第２傾斜部１０２ｂは、各先端部の形状を丸みを帯びた曲面形状に形成した。しかし。第１傾斜部１０２ａおよび第２傾斜部１０２ｂにおける各先端部の形状は、上記実施形態に限定されるものではなく、先端部に向かって厚さが薄くなる尖った形状に形成してもよいし、先端部のみ厚さを厚く形成してもよいし、先端部を角ばった形状（断面形状が方形状）に形成することもできる。
【００４８】
また、上記実施形態においては、ボート１００は、船底１０１、第１傾斜部１０２ａ、第２傾斜部１０２ｂおよび側壁部１０３を硬質ウレタン発泡体で構成した。これにより、ボート１００は、ボート１００自体に浮力を与えて沈み込みを防止して水の侵入を防ぐことができるとともに、第１傾斜部１０２ａ、第２傾斜部１０２ｂおよび側壁部１０３の各高さを低く抑えることができる。また、このボート１００によれば、空気を利用したゴムボートなどに比べて剛性が高く船上での安定性が向上する。また、このボート１００によれば、船体が損傷を受けた場合であっても船体の浮力が直ちに失われることがないとともに補修も容易に行うことができる。なお、この場合、ボート１００は、少なくとも船底１０１を硬質ウレタン発泡体で構成するとよい。
【００４９】
しかし、ボート１００は、船底１０１、第１傾斜部１０２ａ、第２傾斜部１０２ｂおよび側壁部１０３を硬質ウレタン発泡体以外の材料を用いて構成することができる。例えば、ボート１００は、船底１０１、第１傾斜部１０２ａ、第２傾斜部１０２ｂおよび側壁部１０３を木材、ＦＲＰ（繊維強化プラスチック）材またはアルミニウム材などの金属材料で構成することができる。これらの場合、ボート１００は、側壁体１０３を円柱状以外の形状、例えば、板状に形成することもできる。
【００５０】
また、上記実施形態においては、ボート１００は、船底１０１、第１傾斜部１０２ａおよび第２傾斜部１０２ｂが白色や灰色などの白色系（淡色系）で形成されるとともに、各側壁部１０３が赤色や緑色などの濃色系で形成されている。これにより、ボート１００は第１傾斜部１０２ａおよび第２傾斜部１０２ｂの位置を迅速に把握することができる。しかし、ボート１００は、船底１０１、第１傾斜部１０２ａ、第２傾斜部１０２ｂおよび側壁部１０３を互いに同じ色で構成することができるとともに、これらの各部分を互いに異なる色で構成することもできる。
【００５１】
また、上記実施形態においては、ボート１００は、オール１１４を用いて人力で漕ぐ手漕ぎボートで構成した。しかし、ボート１００は、原動機（例えば、エンジン（燃料タンク含む）または電動モータ（バッテリ含む））が発生させる回転駆動力を用いてボート１００下の水中でスクリューを回転させて推進力を得るスクリュー式の船外機を備えて構成することもできる。
【００５２】
また、上記実施形態においては、ボート１００は、平面視で長方形状に形成した。しかし、ボート１００の形状は、上記実施形態に限定されるものではない。したがって、ボート１００は、例えば、平面視で正方形状、円形状、楕円形状、五角形または六角形などの多角形状形成することもできる。
【００５３】
また、上記実施形態においては、ボート１００は、全長が約２７００ｍｍ、全幅が約１１００ｍｍ、高さが約４００ｍｍ、重さが約４０ｋｇに形成した。しかし、ボート１００の大きさおよび重さは、ボート１００の使用用途および使用環境などの各仕様に応じて適宜決定されるものである。この場合、ボート１００は、大人一人または二人で持ち運びできる大きさ（概ね５０ｋｇ以下）の重さに形成するとよい。
【符号の説明】
【００５４】
Ｕ…使用者、ＡＵ…水面に存在する人、ＷＬ…水面、α…傾斜部の角度、
１００…ボート、
１０１…船底、１０１ａ…床面、１０１ｂ…注入口、１０２ａ…第１傾斜部、１０２ｂ…第２傾斜部、１０３…側壁部、１０４…粘着テープ、
１１０…取っ手、１１１…ロープ、１１２…フック、１１３…オール取付部、１１４…オール。
【図１】
2017202714.tif 000003
【図２】
2017202714.tif 000004
【図３】
2017202714.tif 000005
【図４】
2017202714.tif 000006
【図５】
2017202714.tif 000007
【図６】
2017202714.tif 000008